(57)【要約】      （修正有）【課題】雄側端子と雌側端子の間に一方が剛性で一方が柔らかい組合せの接合方式により、雄側端子と雌側端子の変形を形成せず、両者の間の接触部を摩損させにくいボードツーボードコネクタを提供する。【解決手段】本ボードツーボードコネクタは、雄側コネクタと雌側コネクタが相互に接続されて構成され、雄側コネクタは雄側本体１０と雄側端子２０を包含し、該雄側端子はＵ形構造を呈する挿入端を具えている。雌側コネクタは雌側本体４０と雌側端子３０を包含し、該雌側端子は対応する第１接触部と第２接触部、第１接触部と第２接触部の間に形成された挿入溝を具え、雄側端子と雌側端子が接続されるとき、雄側端子の挿入端が挿入溝内に挿入され、第１接触部と第２接触部がいずれも挿入端に接触し、且つ雄側端子のたわみ性端と雌側端子の剛性端が接触し、雄側端子の剛性端と雌側端子のたわみ性端が接触する。【選択図】図１
0003171989.tif 000002
【実用新案登録請求の範囲】
【請求項１】
ボードツーボードコネクタにおいて、該ボードツーボードコネクタは雄側コネクタと雌側コネクタが接続されて構成され、該雄側コネクタは、
複数の雄側端子溝が開設された雄側本体と、
Ｕ形構造を呈する挿入端を具え、該雄側本体内に成形され且つ該挿入端が該雄側本体に嵌合された複数の雄側端子と、
を包含し、雌側コネクタは、
貫通する複数の雌側端子溝が開設された雌側本体と、
互いに対応する第１接触部と第２接触部を具え、該第１接触部と該第２接触部の間に挿入溝が形成され、該雌側端子溝内に収容され、且つ該第１接触部と該第２接触部及び該挿入溝がいずれも該雌側本体外に露出する複数の雌側端子と、
を包含し、該雄側本体と該雌側本体が対応し挿嵌接続され、且つ該雄側端子の挿入端が該挿入溝内に挿入され、該第１接触部と該第２接触部がいずれも該挿入端に接触することを特徴とする、ボードツーボードコネクタ。
【請求項２】
請求項１記載のボードツーボードコネクタにおいて、該雄側端子の挿入端が互いに対応する第１抵触部と第２抵触部を包含し、該第１抵触部と該第２抵触部の間に嵌合エリアが形成され、該第１抵触部の端部が第２抵触部の一側に向けて折り曲げられ延伸されて第１ソルダー部が形成され、該雄側端子が雄側端子溝内に成形され且つ雄側本体は該嵌合エリア内に嵌合され、該第１ソルダー部が該雄側本体外に突伸することを特徴とする、ボードツーボードコネクタ。
【請求項３】
請求項２記載のボードツーボードコネクタにおいて、該第１抵触部に凹溝が開設されたことを特徴とする、ボードツーボードコネクタ。
【請求項４】
請求項２記載のボードツーボードコネクタにおいて、該雌側端子は基部を具え、該基部の両端が同一方向に向けて折り曲げられて第１接触端と第２接触端が形成され、該第１接触端と該第２接触端が互いに向けて傾斜するように延伸され、且つ第１接触端は挿入溝内に向けて突伸して該第１接触部が形成され、該第２接触端の自由端が折り曲げられ延伸されて該第２接触部が形成され、該第１接触部の自由端が折り曲げられ延伸されて第２ソルダー部が形成され、該挿入端が該挿入溝内に挿入され、且つ該第１抵触部と該第２接触部が接触し、該第２抵触部と該第１接触部が接触することを特徴とする、ボードツーボードコネクタ。
【請求項５】
請求項４記載のボードツーボードコネクタにおいて、該雌側端子の第１接触端の端部が外向きに延伸され並びに折り曲げられて嵌合部が形成され、該嵌合部と該第１接触端が対応し、該嵌合部の両側端面上に凸台が設置され、該嵌合部の自由端が外向きに延伸されて第２ソルダー部が形成されたことを特徴とする、ボードツーボードコネクタ。
【請求項６】
請求項５記載のボードツーボードコネクタにおいて、該凸台は階段状を呈することを特徴とする、ボードツーボードコネクタ。
【考案の詳細な説明】
【技術分野】
【０００１】
本考案は一種のコネクタに係り、具体的には、端子の変形と接触部の損傷を防止できる、デュアル接触式ボードツーボードコネクタに関する。
【背景技術】
【０００２】
コネクタは広くネットワーク通信設備中に応用され、それは基板上に取付けられ、並びにその導電端子を通して回路板との電気信号の伝送を達成し、これによりデータ伝送を実現する。
【０００３】
周知のボードツーボードコネクタは、雄コネクタと雌コネクタが接続されて構成される。雄コネクタは雄側本体と雄側本体内に収容された複数の雄側端子を包含し、雌コネクタは、雌側本体と雌側本体内に収容された複数の雌側端子を包含し、雄側端子と雌側端子の一端はそれぞれ回路板に接続され、雄側端子と雌側端子の別端は相互に接続され、これにより、雄コネクタと雌コネクタの電気的接続が実現され、最終的に二つの回路板の間の電気的接続が達成される。
【０００４】
雄コネクタと雌コネクタの相互の挿嵌後の全体のコネクタの性能を確保するため、雄側端子と雌側端子の間の挿嵌は剛性体対剛性体のハード干渉方式であり、このようなハード干渉方式は雄側端子と雌側端子の変形を形成しやすく、或いは両者の間の接触部を摩損させやすく、それにより、雄側端子と雌側端子が良好に接触しなくなり、ひいてはコネクタの性能に影響が生じる。
【０００５】
これにより、端子変形或いは接触部の損傷を防止できるコネクタを提供することにより、既存のコネクタ中に存在する不足点を克服し、これによりコネクタの性能を確保することが必要である。
【考案の概要】
【考案が解決しようとする課題】
【０００６】
本考案の目的は、上述の従来の技術の不足に対して、一種のデュアル接触式のボードツーボードコネクタを提供することにあり、該ボードツーボードコネクタは有効に、その端子変形或いは端子の間の接触部の損傷を防止でき、これによりボードツーボードコネクタの性能を確保できるものとする。
【課題を解決するための手段】
【０００７】
上述の目的を達成するため、本考案は一種のボードツーボードコネクタを提供し、雄側コネクタと雌側コネクタが相互に接続されて構成され、該雄側コネクタは雄側本体と雄側端子を包含し、該雌側コネクタは雌側本体と雌側端子を包含し、該雄側本体上に複数の雄側端子溝が開設されている。該雄側端子はＵ形構造を呈する挿入端を有し、該雄側端子は、該雄側端子溝内に成形され且つ挿入端は該雄側本体に係合する。該雌側本体に貫通する複数の雌側端子溝が開設されている。該雌側端子は相互に対応する第１接触部と第２接触部を有し、該第１接触部と第２接触部の間に挿入溝が形成され、該雌側端子は該雌側端子溝内に収容され、且つ該第１接触部、第２接触部及び挿入溝はいずれも該雌側本体外に露出している。そのうち、該雄側本体と該雌側本体は相互に対応し嵌合され、且つ該雄側端子の挿入端は該挿入溝内に挿入され、該第１抵触部と該第２抵触部はいずれも該挿入端と接触する。
【考案の効果】
【０００８】
上述したように、本考案のボードツーボードコネクタは、雄側端子がＵ形構造を呈する挿入端を有し、雌側端子が相互に対応する第１接触部と第２接触部を有し、該第１接触部と該第２接触部の間に挿入溝が形成され、該雄側端子と該雌側端子が相互に対応し挿嵌されるとき、該雄側端子の該挿入端が該挿入溝内に挿入され、該第１接触部と該第２接触部がいずれも該挿入端と接触し、且つ該雄側端子のたわみ性端と雌側端子の剛性端が接触し、雄側端子の剛性端と雌側端子のたわみ性端が接触し、これにより、該雄側端子と該雌側端子の間の一方が剛性で一方が柔性の組合せの接続方式により、周知のコネクタの剛性体対剛性体のハード干渉方式に較べ、雄側端子と雌側端子の変形を形成せず、また、両者の間の接触部を摩損させず、これにより、ボードツーボードコネクタの性能を確保できる。
【図面の簡単な説明】
【０００９】
【図１】本考案のボードツーボードコネクタの構造表示図である。
【図２】本考案のボードツーボードコネクタの分解図である。
【図３】本考案のボードツーボードコネクタのもう一つの分解図である。
【図４】図２中の雄側端子の構造表示図である。
【図５】図２中の雌側端子の構造表示図である。
【図６】本考案の雄側端子と雌側端子の挿嵌の状態表示図である。
【考案を実施するための形態】
【００１０】
本考案の技術内容、構造特徴、達成する目的を詳細に説明するため、以下に実施例を挙げ並びに図面を組み合わせて説明する。
【００１１】
図１から図３を参照されたい。本考案のボードツーボードコネクタ１は、相互に対応する雄側コネクタ（標示せず）及び雌側コネクタ（標示せず）が接続されて構成される。該雄側コネクタは雄側本体１０、複数の雄側端子２０を包含し、雌側コネクタは雌側本体４０、複数の雌側端子３０を包含する。
【００１２】
雄側本体１０には雄側端子２０に対応する雄側端子溝１１が開設され、雄側端子２０は雄側端子溝１１内に成形され並びに雄側本体１０上に係合する。雌側本体４０には雌側端子３０に対応する雌側端子溝４１が、雌側本体４０を貫通するように形成され、雌側端子３０は雌側端子溝４１内に収容され、且つ雄側本体１０と雌側本体４０は相互に対応し挿嵌されて接続され、並びに雄側端子２０が雌側端子３０に係合され、これにより両者が対応し接触する。
【００１３】
図４を参照されたい。雄側端子２０はＵ形構造を呈する挿入端２１と第１ソルダー部２２を有し、挿入端２１は相互に対応する第１抵触部２１１と第２抵触部２１２を包含する。第１抵触部２１１と第２抵触部２１２の間に嵌合エリア２１３が形成される。第１抵触部２１１の端部が第２抵触部２１２の一側に向けて折り曲げられ延伸されて、第１ソルダー部２２が形成され、第１抵触部２１１にさらに凹溝２１４が開設され、第２抵触部２１２に切欠き２１５が形成されている。そのうち、第２抵触部２１２はたわみ性端とされ、これに対し、第１抵触部２１１は剛性端を形成する。雄側端子２０が雄側本体１０に係合された後、治具を利用して第２抵触部２１２の一旦が二度折り曲げられてたわみ性端が形成され、これにより、雄側本体１０が上述の嵌合エリア２１３に嵌合され、且つ第１ソルダー部２２が雄側本体１０外に突伸する。
【００１４】
図５を参照されたい。雌側端子３０は基部３１を有し、基部３１の両端が同一方向に向けて折り曲げられて第１接触端３２と第２接触端３３が形成され、且つ該第１接触端３２と第２接触端３３の間に挿入溝３４が形成され、且つ第１接触端３２は挿入溝３４内に向けて突伸し、第１接触部３２１を形成し、第２接触端３３の自由端が挿入溝３４内に向けて折り曲げられて第２接触部３３１が形成され、これにより、第２接触部３３１はたわみ性端とされ、これに対し、第１接触部３２１が剛性端を形成する。
【００１５】
このほか、第１接触端３２の端部より外向きに延伸並びに折り曲げられて嵌合部３５が形成され、嵌合部３５と第１接触端３２は対応し、嵌合部３５の自由端は外向きに延伸されて第２ソルダー部３６を形成し、第２ソルダー部３６と基部３１はほぼ同一水平位置にある。好ましくは、嵌合部３５の両側端面に凸台３５１が形成され、該凸台３５１は階段状を呈する。雌側端子３０が雌側本体４０に取付けられるとき、雌側端子３０は雌側本体４０上の雌側端子溝４１内に収容され、第１接触部３２１、第２接触部３３１及び挿入溝３４はいずれも雌側本体４０より露出し、第２ソルダー部３６は雌側本体４０の側面より突伸する。雌側本体４０と雄側本体１０が挿嵌接続された後、雄側端子２０の挿入端２１は挿入溝３４内に挿入され、且つ第１接触部３２１は第２抵触部２１２の切欠き２１５部分に接触し、第２接触部３３１は第１抵触部２１１上の凹溝２１４内に接触する。
【００１６】
図１から図６を参照されたい。本考案のボードツーボードコネクタ１の組立過程について説明する。
【００１７】
まず、雄側端子２０を雄側本体１０の雄側端子溝１１内に成形し、並びにその第１抵触部２１１を雄側本体１０の内側に位置させ、第２抵触部２１２及び第１ソルダー部２２をいずれも雄側本体１０外に突伸させ、さらに、治具を用いて第２抵触部２１２を二度折り曲げてたわみ性端を形成し、並びに雄側本体１０を第１抵触部２１１と第２抵触部２１２の間に形成された嵌合エリア２１３内に嵌合させる。これにより、第２抵触部２１２と第１抵触部２１１がＵ形構造の挿入端２１を形成する。これに対し、雌側端子３０を雌側本体４０に収容し、雌側端子３０を雌側端子溝４１内に収容し、並びに第２ソルダー部３６を雌側本体４０の側面より突出させる。その後、雄側本体１０を雌側本体４０に対応挿嵌させ、雄側端子２０と雌側端子３０を嵌合接触させ、すなわち、雄側端子２０の挿入端２１を雌側端子３０の挿入溝３４内に挿入し、雄側端子２０の第１抵触部２１１と雌側端子３０の第２接触部３３１を接触させ、雄側端子２０の第２抵触部２１２と雌側端子３０の第１接触部３２１を接触させ、これにより雄側端子２０と雌側端子３０を互いに挿嵌する。
【００１８】
上述したように、本考案のボードツーボードコネクタ１は、雄側本体１０、複数の雄側端子２０、雌側本体４０、及び、複数の雌側端子３０を包含し、雄側端子２０はＵ形構造の挿入端２１を有し、挿入端２１は互いに対応する第１抵触部２１１と第２抵触部２１２を包含し、且つ第２抵触部２１２は撓み性端とされる。雌側端子３０は互いに対応する第１接触部３２１と第２接触部３３１を有し、第１接触部３２１と第２接触部３３１の間に挿入溝３４が形成され、且つ第２接触部３３１もたわみ性端とされる。雄側端子２０と雌側端子３０が対応接続されるとき、雄側端子２０の挿入端２１は挿入溝３４内に挿入され、且つ雄側端子２０の第１抵触部２１１と雌側端子３０の第２接触部３３１が接触し、雄側端子２０の第２抵触部２１２と雌側端子３０の第１接触部３２１が接触し、すなわち、雄側端子２０のたわみ性端と雌側端子３０の剛性端が接触し、雄側端子２０の剛性端と雌側端子３０の撓み性端が接触し、このような雄側端子２０と雌側端子３０の間の一方が剛性で一方が柔性の組合せの接続方式により、既存の技術中の、剛性体対剛性体のハード干渉方式に較べ、雄側端子２０と雌側端子３０の変形を形成せず、両者の間の接触部を摩損させず、これにより、ボードツーボードコネクタ１の性能を確保する。
【符号の説明】
【００１９】
１  ボードツーボードコネクタ            １０  雄側本体
１１  雄側端子溝                        ２０  雄側端子
２１  挿入端                            ２１１  第１抵触部
２１２  第２抵触部                      ２１３  嵌合エリア
２１４  凹溝                            ２１５  切欠き
２２  第１ソルダー部                    ３０  雌側端子
３１  基部                              ３２  第１接触端
３２１  第１接触部                      ３３  第２接触端
３３１  第２接触部                      ３４  挿入溝
３５  嵌合部                            ３５１  凸台
３６  第２ソルダー部                    ４０  雌側本体
４１  雌側端子溝
【図１】
0003171989.tif 000003
【図２】
0003171989.tif 000004
【図３】
0003171989.tif 000005
【図４】
0003171989.tif 000006
【図５】
0003171989.tif 000007
【図６】
0003171989.tif 000008